(57)【要約】【課題】最大乗車人数の確保と収納ボックスの使い勝手の向上とを両立させる。【解決手段】乗員用シートとしてフロアパネル１上に設けられた複数の単位シート７〜９，１０，１１のうち、少なくとも１つの単位シートのシートバック１８，２１の背面には、物品収納用の収納ボックス４０が着脱自在に係止されるボックス支持部３６が設けられる。上記シートバック１８，２１は、上方に起立した起立状態と、シートクッション１７，２０上に倒伏した倒伏状態との間で変位可能に支持され、上記収納ボックス４０は、上記シートバック１８，２１が倒伏状態にあるときに上向きに開口するように形成された収納空間４１を有する本体部４２と、この本体部４２の上面開口を開閉可能に閉止するリッド部４３とを備える。【選択図】図７
2009051455.tif 000002
【特許請求の範囲】
【請求項１】
シートクッションとその後端部から上方に起立するシートバックとを備えた複数の乗員用シートがフロアパネル上に設けられ、このうちの少なくとも１つの乗員用シートに備わるシートバックの背面に、物品を収納するための収納ボックスが支持されるように構成された車両用収納ボックス構造であって、
上記乗員用シートのシートバックは、上方に起立した起立状態と、上記シートクッション上に倒伏した倒伏状態との間で変位可能に支持され、
上記収納ボックスは、上記シートバックが倒伏状態にあるときに上向きに開口するように形成された収納空間を有する本体部と、この本体部の上面開口を開閉可能に閉止するリッド部とを備え、
上記シートバックの背面に設けられたボックス支持部に、上記収納ボックスが着脱自在に係止されるように構成されたことを特徴とする車両用収納ボックス構造。
【請求項２】
請求項１記載の車両用収納ボックス構造において、
上記フロアパネル上に、車幅方向に並設された３つの乗員用シートからなるシート列が設けられ、このうち少なくとも中央の乗員用シートのシートバックに上記ボックス支持部が設けられたことを特徴とする車両用収納ボックス構造。
【請求項３】
請求項１または２記載の車両用収納ボックス構造において、
上記ボックス支持部が複数の乗員用シートのシートバックにそれぞれ設けられることにより、これら複数のシートバックのいずれかに上記収納ボックスが選択的に取り付けられるように構成されたことを特徴とする車両用収納ボックス構造。
【請求項４】
請求項３記載の車両用収納ボックス構造において、
車室の後部荷室の前方に隣接して上記乗員用シートが設けられ、この乗員用シートのシートバックに上記ボックス支持部が設けられたことを特徴とする車両用収納ボックス構造。
【請求項５】
請求項１〜４のいずれか１項に記載の車両用収納ボックス構造において、
上記フロアパネル上に、車幅方向に並設された複数の乗員用シートからなるシート列が前後方向に少なくとも３列並んで設けられ、このうち前後方向中間部に位置するシート列のシートバックに上記ボックス支持部が設けられたことを特徴とする車両用収納ボックス構造。
【請求項６】
請求項１〜６のいずれか１項に記載の車両用収納ボックス構造において、
上記シートバックにボックス支持部が設けられた乗員用シートに、そのシートバックが倒伏状態に変位するのに応じ上記シートクッションを所定量下方に沈み込ませる変位機構が設けられたことを特徴とする車両用収納ボックス構造。
【請求項７】
請求項１〜５のいずれか１項に記載の車両用収納ボックス構造において、
上記収納ボックスが、車室の側壁に設けられた側壁側ボックス支持部に着脱自在に係止されるように構成されたことを特徴とする車両用収納ボックス構造。
【発明の詳細な説明】
【技術分野】
【０００１】
本発明は、シートクッションとその後端部から上方に起立するシートバックとを備えた複数の乗員用シートがフロアパネル上に設けられ、このうちの少なくとも１つの乗員用シートに備わるシートバックの背面に、物品を収納するための収納ボックスが支持されるように構成された車両用収納ボックス構造に関する。
【背景技術】
【０００２】
従来、下記特許文献１に示されるように、車室内で使用される物品収納用の収納ボックスにおいて、この収納ボックスの底面に、車室の床部（フロアパネル）の複数個所に設置されたストライカと係合可能な係合手段を設けることにより、上記収納ボックスを車室内の複数個所に選択的に取り付け得るようにした構造が知られている。
【０００３】
具体的に、下記特許文献１では、運転席シートおよび助手席シートの間の床部と、その後方側の２列目のシート列を構成する左右一対のシート間の床部と、さらにその後方側の３列目のシート列を構成する左右一対のシート間の床部とに、それぞれ上記ストライカが設けられることにより、車室床部の前後方向３箇所に、上記収納ボックスが選択的に取り付けられるように構成されている。
【特許文献１】特開２００６−２１６０８号公報
【発明の開示】
【発明が解決しようとする課題】
【０００４】
上記特許文献１に開示された構成によれば、収納ボックスの取り付け位置を適宜変更して乗員の使い易い位置に収納ボックスを取り付けることにより、この収納ボックスの使い勝手を効果的に向上させることができる。しかしながら、車幅方向に並設された一対の乗員用シート間の床部に収納ボックスを取り付ける上記特許文献１の構成では、この収納ボックスの存在に起因して乗員用シートの設置スペースが減少し、その分だけ乗車可能な人数の上限（最大乗車人数）が少なくなってしまうという問題があった。
【０００５】
本発明は、上記のような事情に鑑みてなされたものであり、最大乗車人数の確保と収納ボックスの使い勝手の向上とを両立させることが可能な車両用収納ボックス構造を提供することを目的とする。
【課題を解決するための手段】
【０００６】
上記課題を解決するためのものとして、本発明は、シートクッションとその後端部から上方に起立するシートバックとを備えた複数の乗員用シートがフロアパネル上に設けられ、このうちの少なくとも１つの乗員用シートに備わるシートバックの背面に、物品を収納するための収納ボックスが支持されるように構成された車両用収納ボックス構造であって、上記乗員用シートのシートバックは、上方に起立した起立状態と、上記シートクッション上に倒伏した倒伏状態との間で変位可能に支持され、上記収納ボックスは、上記シートバックが倒伏状態にあるときに上向きに開口するように形成された収納空間を有する本体部と、この本体部の上面開口を開閉可能に閉止するリッド部とを備え、上記シートバックの背面に設けられたボックス支持部に、上記収納ボックスが着脱自在に係止されるように構成されたことを特徴とするものである（請求項１）。
【０００７】
本発明によれば、複数の乗員用シートの少なくとも１つのシートバックに、物品収納用の収納ボックスが支持されるボックス支持部を設けたため、例えば上記特許文献１のように収納ボックスをフロアパネル上に取り付けた場合と異なり、上記収納ボックスの取付場所を確保するために上記乗員用シートの設置スペースを犠牲にする必要がなく、最大乗車人数をできるだけ多く確保しながら、必要に応じて上記収納ボックスを利用した物品の収納を行えるという利点がある。
【０００８】
しかも、収納ボックスが支持される上記シートバックが倒伏状態に変位したときに、収納空間が上向きに開口するように構成されているため、乗員は、上記シートバックを倒伏させてその背面に支持された上記収納ボックスを利用する際に、この収納ボックスの収納空間に対し、その上面開口から容易にアクセスして物品の出し入れ等を行うことができる。
【０００９】
さらに、上記シートバックに設けられたボックス支持部に上記収納ボックスが着脱自在に係止されるように構成されているため、収納ボックスを使用する必要がないときには、これを上記シートバック等から取り外して車室内の邪魔にならない場所に移しておくこと等により、上記収納ボックスの非使用時における車室内の居住性をより良好に確保できるという利点がある。
【００１０】
上記フロアパネル上に、車幅方向に並設された３つの乗員用シートからなるシート列が設けられている場合、このうち少なくとも中央の乗員用シートのシートバックに上記ボックス支持部が設けられることが好ましい（請求項２）。
【００１１】
このように、車幅方向に並設された３つの乗員用シートのうち、少なくとも中央の乗員用シートに上記ボックス支持部を設けた場合には、その左右両側の乗員用シートに着座した乗員の両方が上記収納ボックスを利用できるため、他の乗員用シートにのみ上記ボックス支持部を設けた場合と異なり、収納ボックスの利用価値をより効果的に高められるという利点がある。
【００１２】
また、本発明においては、上記ボックス支持部が複数の乗員用シートのシートバックにそれぞれ設けられることにより、これら複数のシートバックのいずれかに上記収納ボックスが選択的に取り付けられるように構成されることが好ましい（請求項３）。
【００１３】
この構成によれば、どの乗員用シートに着座した乗員が上記収納ボックスを使用するかに応じてその取付場所を自在に変化させることにより、収納ボックスの使い勝手をより効果的に向上させることができるという利点がある。
【００１４】
車室の後部荷室の前方に隣接して上記乗員用シートが設けられている場合、この乗員用シートのシートバックに上記ボックス支持部が設けられることが好ましい（請求項４）。
【００１５】
この構成によれば、収納ボックスの非使用時に、後部荷室に隣接した乗員用シートのシートバックに上記収納ボックスを取り付けることにより、乗員のためのスペースを狭めることなく、上記収納ボックスの非使用時の取付場所を適正に確保できるという利点がある。
【００１６】
上記フロアパネル上に、車幅方向に並設された複数の乗員用シートからなるシート列が前後方向に少なくとも３列並んで設けられている場合、このうち前後方向中間部に位置するシート列のシートバックに上記ボックス支持部が設けられることが好ましい（請求項５）。
【００１７】
この構成によれば、前後方向中間部に位置するシート列のシートバックに上記収納ボックスを取り付けることにより、このシート列に着座した乗員だけでなく、その前後のシート列に着座した乗員も上記収納ボックスを利用できるため、収納ボックスを取り付けることによる利便性の向上をより多くの乗員に対し図ることができる等の利点がある。
【００１８】
上記シートバックにボックス支持部が設けられた乗員用シートには、そのシートバックが倒伏状態に変位するのに応じ上記シートクッションを所定量下方に沈み込ませる変位機構が設けられることが好ましい（請求項６）。
【００１９】
この構成によれば、乗員用シートのシートバックが倒伏したときの設置高さを比較的低く抑えることができ、その背面に支持される上記収納ボックスの使用時の高さが必要以上に高くなってこの収納ボックスの使い勝手が損なわれるのを効果的に防止できるという利点がある。
【００２０】
本発明においては、上記収納ボックスが、車室の側壁に設けられた側壁側ボックス支持部に着脱自在に係止されることも、また好ましい（請求項７）。
【００２１】
この構成によれば、収納ボックスの非使用時の取付場所を上記乗員用シートのシートバック以外の箇所に容易に確保することができ、状況に応じた適切な箇所に上記収納ボックスを取り付けつつ車室内空間をより多様に活用できるという利点がある。
【発明の効果】
【００２２】
以上説明したように、本発明の車両用収納ボックス構造によれば、最大乗車人数の確保と収納ボックスの使い勝手の向上とを両立させることができる。
【発明を実施するための最良の形態】
【００２３】
（実施形態１）
図１は、本発明の車両用収納ボックス構造の第１実施形態を示す図である。本図に示される車両の車室内には、車室底面を構成するフロアパネル１上の前方部に、運転席シート５および助手席シート６からなる第１シート列２が配設されるとともに、その後方側には、車幅方向に並設された複数の乗員用シート（後述する単位シート７〜９および単位シート１０，１１）からなる第２および第３のシート列３，４が前から順に配設されている。
【００２４】
上記第１シート列２を構成する運転席シート５および助手席シート６は、それぞれ、座面を形成するシートクッション１３と、このシートクッション１３の後端部に枢支されて上方に起立するシートバック１４とを有している。これら運転席シート５および助手席シート６は、互いに間隔を空けて車幅方向に並設されており、その間に位置するフロアパネル１上には、運転者または助手席乗員の肘が載置される肘掛け台等の機能を有したコンソールボックス１５が突設されている。
【００２５】
上記第２シート列３は、シートクッション１７およびシートバック１８を個別に有した３つの単位シート７〜９が車幅方向に並設されることにより構成されている。また、上記第３シート列４は、シートクッション２０およびシートバック２１を個別に有した２つの単位シート１０，１１から構成されている。
【００２６】
上記第２シート列３の各単位シート７〜９は、図２および図３に示すように、フロアパネル１上に設置された左右一対の支持プレート２８に、上下方向に延びる前側および後側リンク２６，２７を介して支持されている。このうち、前側リンク２６は、その上端部が上記シートクッション１７の前方部側面に支軸２９を介して枢支されるとともに、上記前側リンク２６の下端部は上記支持プレート２８の前方部に支軸３０を介して枢支されている。一方、後側リンク２７は、その上端部がシートバック１８の下端部側面に図略の締結部材等を介して固定されるとともに、上記後側リンク２７の下端部は上記支持プレート２８の後方部に支軸３１を介して枢支されている。なお、図２において符号２５は、上記前側および後側リンク２６，２７の上端部（つまりシートクッション１７やシートバック１８との連結部）等を隠蔽するために、上記シートクッション１３の左右の側辺部等を覆う保護カバーである。ただし図３では、この保護カバー２５を取り外した状態で上記単位シート７〜９を示している。
【００２７】
上記シートクッション１７の後方部側面には、締結部材３２を介して連結リンク３４が固定されている。この連結リンク３４は、上記シートクッション１７との固定部から上方かつ後方に湾曲するように延びており、その先端部が、上記後側リンク２７の上端部に支軸３３を介して枢支されている。
【００２８】
上記支持プレート２８には、後側リンク２７の下端部を保持してこの後側リンク２７が支軸３１を支点に回動するのを規制するロック装置３５が設けられている。そして、通常時には、このロック装置３５によって後側リンク２７の回動変位が規制されることにより、図２および図３に示すように、上記シートバック１８がシートクッション１７に対し上方に起立した状態に保持されるとともに、上記シートクッション１７が支持プレート２８に対し所定距離上方に離間した位置に保持されるようになっている。
【００２９】
上記シートクッション１７またはシートバック１８の所定部位には、上記ロック装置３５の内部のギア機構等と連係された図略の操作レバーが設けられており、この操作レバーが乗員によって操作されるのに応じ、上記ロック装置３５による後側リンク２７のロックが解除されるようになっている。そして、このように後側リンク２７のロックが解除された状態で、乗員が上記シートバック１８に対しこれを前方に押し倒す方向の力を加えると、図４に示すように、上記シートバック１８と一体に上記後側リンク２７が前方に回動変位するとともに、連結リンク３４が前方かつ下方に揺動変位し、さらに上記前側リンク２６が前方に回動変位する。すると、これに対応して図示のように、シートクッション１７が前方かつ下方に沈み込むとともに、シートバック１８がこのシートクッション１７上に倒伏した状態に変位することになる。
【００３０】
以上のように構成された各単位シート７〜９のシートバック１８の背面には、小物類等の物品が収納される後述する収納ボックス４０（図５〜図７等参照）を支持するためのボックス支持部３６が設けられている。このボックス支持部３６は、図２に示すように、シートバック１８の背面における上下左右の４箇所に設けられた凹部３８と、この凹部３８内に設けられた車幅方向に延びる係合軸３９とを有している。そして、この凹部３８内の係合軸３９に、後述する収納ボックス４０のフック４５（図９）が係止されることにより、上記収納ボックス４０がシートバック１８に対し着脱自在に支持されるようになっている。
【００３１】
上記第３シート列４は、その単位シートの数が異なることを除けば、上記第２シート列３と基本的に同様の構造を有している。すなわち、上記第３シート列４の各単位シート１０，１１は、そのシートバック２１が、上方に起立した起立状態と、シートクッション２０上に倒伏した倒伏状態との間で変位可能に支持されているとともに、上記シートバック２１が倒伏した状態において、上記シートクッション２０が前方かつ下方に沈み込むように構成されている。また、上記シートバック２１の背面には、上記第２シート列３の各単位シート７〜９と同様にボックス支持部３６が設けられており、このボックス支持部３６に、上記収納ボックス４０が着脱自在に係止されるようになっている。
【００３２】
図１に示すように、車室の後端部には、荷室フロア１ａを床面とする後部荷室Ｌが形成されており、この後部荷室Ｌの前方に隣接して上記第３シート列４が配設されている。また、図１３に示すように、上記第３シート列４の左右のシートバック２１を倒伏させると、シートクッション２０が所定量下方に沈み込むとともに、このシートクッション２０上に倒伏した上記各シートバック２１の背面（倒伏時の上面）と上記荷室フロア１ａとにより、略連続した平坦なフロア面が形成され、このフロア面を底面とする広範な荷室スペースが車室後部に形成されるように構成されている。
【００３３】
図５〜図７は、上記収納ボックス４０の使用状態を示す斜視図である。なお、これらの図では、第２シート列３を構成する単位シート７〜９のうち、車幅方向中央に位置する単位シート８のシートバック１８に上記収納ボックス４０を取り付けて使用する場合の例が示されている。なお、図６および図７では、上記運転席シート５および助手席シート６との間に設置されたコンソールボックス１５が合わせて図示されている。
【００３４】
上記収納ボックス４０は、上記シートバック１８がシートクッション１７上に倒伏した状態で使用される。先にも説明したように、シートバック１８を倒伏させると、これに連動してシートクッション１７が下方に沈み込むように変位するため、上記シートバック１８の背面に支持される上記収納ボックス４０の高さは、図示のように比較的低い高さに抑えられるようになっている。
【００３５】
図９は、上記シートバック１８の背面に上記収納ボックス４０を取り付ける際の手順を示す図である。本図に示すように、上記収納ボックス４０は、本体部４２およびリッド部４３を有しており（詳細は後述する）、このうちの本体部４２には、その下面から突出する複数のフック４５が設けられている。
【００３６】
上記フック４５は、上記本体部４２の下面部の複数個所（シートバック１８に設けられた４箇所のボックス支持部３６に対応する箇所）に支軸４６を介して枢支されている。そして、このフック４５は、上記支軸４６を支点とした特定の回転方向（上記ボックス支持部３６の係合軸３９と係合する方向）に図外の付勢手段により付勢されることで、通常時において図示のような姿勢に保持されるように構成されている。
【００３７】
このようなフック４５を有した上記収納ボックス４０が、図中の矢印のように上記シートバック１８の背面に押し付けられると、このシートバック１８に設けられた上記ボックス支持部３６の係合軸３９に上記フック４５の下辺部が当接し、これに応じて図１０（ａ）に示すように、フック４５が支軸４６を支点に上方に回動変位する。そして、この状態から上記収納ボックス４０がさらに下方に押し付けられると、上記フック４５の下辺部が上記係合軸３９を乗り越えるとともに、図１０（ｂ）に示すように、上記フック４５が上記付勢手段の付勢力により回動して上記係合軸３９と係合することにより、上記収納ボックス４０がシートバック１８に対し固定されることになる。
【００３８】
上記収納ボックス４０の所定箇所には、上記フック４５と連係された図外の操作レバーが設けられている。上記収納ボックス４０をシートバック１８から取り外すには、上記操作レバーを操作して上記フック４５を所定方向（図１０（ａ）の矢印の方向）に回動させることにより、上記フック４５と係合軸３９との係合を解除し、その状態で上記収納ボックス４０を上方に引き上げればよい。
【００３９】
再び図６および図７に戻って上記収納ボックス４０の構造について説明する。これらの図に示すように、上記収納ボックス４０は、小物類等の物品が収納される収納空間４１を内部に有する本体部４２と、この本体部４２の後端部に図略のヒンジ機構等を介して枢支されたリッド部４３とを備えている。上記本体部４２は、上記シートバック１８がシートクッション１７上に倒伏した図示の状態において、内部の収納空間４１が上向きに開口するように設けられており、この本体部４２の上面開口が上記リッド部４３により開閉可能に閉止されている。なお、図中では省略しているが、例えば上記本体部４２とリッド部４３との各合わせ面には磁石が設けられており、通常時において上記リッド部４３が閉止状態（図６の状態）に保持されるようになっている。
【００４０】
そして、上記のように閉止状態に保持されているリッド部４３が、その前端部に設けられた取手部４３ａを保持した乗員により引き上げ操作されると、上記リッド部４３がその後端部を支点に上方に回動変位し、これに応じて図７に示すように、上記本体部４２の収納空間４１が上方に開放されるように構成されている。この収納空間４１に対する物品の出し入れ等の動作は、上記のようにリッド部４３が開放操作されて本体部４２の上面が開口した状態で、その上面開口を通じて行われることになる。
【００４１】
なお、図５〜図７では、第２シート列３を構成する３つの単位シート７〜９のうち、車幅方向中央部の単位シート８のシートバック１８に上記収納ボックス４０を取り付けた例を示したが、他の乗員用シート、つまり、上記単位シート８の左右の単位シート７，９や、その後方の第３シート列４の単位シート１０，１１に対しても、上記と同様の手順により上記収納ボックス４０を取り付けてこれを使用することが可能である。
【００４２】
上記のように複数の単位シート７〜９，１０，１１からなる第２および第３のシート列３，４がフロアパネル１上に配設され、上記単位シート７〜９等の各シートバック１８，２１の背面に、物品を収納するための収納ボックス４０が支持されるように構成された車両用収納ボックス構造において、上記シートバック１８，２１を、上方に起立した起立状態と、上記シートクッション１７，２０上に倒伏した倒伏状態との間で変位可能に支持するとともに、上記収納ボックス４０を、上記シートバック１８，２１が倒伏状態にあるときに上向きに開口するように形成された収納空間４１を有する本体部４２と、この本体部４２の上面開口を開閉可能に閉止するリッド部４３とにより構成し、上記シートバック１８，２１の背面に、上記収納ボックス４０が着脱自在に係止されるボックス支持部３６を設けた上記第１実施形態の構成によれば、最大乗車人数の確保と収納ボックスの使い勝手の向上とを両立させることができるという利点がある。
【００４３】
すなわち、上記第１実施形態では、乗員用シートとして設けられた単位シート７〜９等の各シートバック１８，２１に、物品収納用の収納ボックス４０が支持されるボックス支持部３６を設けたため、例えば上記特許文献１のように収納ボックス４０をフロアパネル１上に取り付けた場合と異なり、上記収納ボックス４０の取付場所を確保するために上記単位シート７〜９等の設置スペースを犠牲にする必要がなく（つまり乗員用シートの数を減らす必要がなく）、最大乗車人数をできるだけ多く確保しながら、必要に応じて上記収納ボックス４０を利用した物品の収納を行えるという利点がある。
【００４４】
しかも、収納ボックス４０が支持される上記シートバック１８または２１が倒伏状態に変位したときに、収納空間４１が上向きに開口するように構成されているため、乗員は、上記シートバック１８または２１を倒伏させてその背面に支持された上記収納ボックス４０を利用する際に、この収納ボックス４０の収納空間４１に対し、その上面開口から容易にアクセスして物品の出し入れ等を行うことができる。また、上記収納空間４１を開閉可能に閉止するリッド部４３が本体部４２に対し上面側に位置するため、このリッド部４３を容易に開閉操作できるという利点もある。
【００４５】
さらに、上記第１実施形態では、上記単位シート７〜９等の各シートバック１８，２１に設けられたボックス支持部３６に上記収納ボックス４０が着脱自在に係止されるように構成されているため、収納ボックス４０を使用する必要がないときには、これを上記シートバック１８等から取り外して車室内の邪魔にならない場所に移しておくこと等により、上記収納ボックス４０の非使用時における車室内の居住性をより良好に確保できるという利点がある。
【００４６】
例えば、第２および第３のシート列３，４の全ての単位シート７〜９，１０，１１に乗員が着座しているために、これら各単位シートのシートバック１８，２１が全て起立している状態で、図８に示すように、上記収納ボックス４０を第２シート列３のシートバック１８に取り付けてしまうと、起立状態にある上記シートバック１８の背面から後方側に突出する上記収納ボックス４０の存在により、上記第３シート列４に着座した乗員が圧迫感を覚えてしまうおそれがある。しかしながら、上記構成では、収納ボックス４０がシートバック１８に対し着脱可能であるため、上記収納ボックス４０を取り外して後部荷室Ｌ等に保管しておくか、または図１１に示すように、第３シート列４のシートバック２１に上記収納ボックス４０を付け替えることにより、上記のように乗車人数が多い状況下でも、乗員の着座環境が上記収納ボックス４０の存在により損なわれるのを効果的に防止でき、車室内の居住性をより良好に確保できるという利点がある。
【００４７】
また、上記第１実施形態では、第２および第３のシート列３，４を構成する複数の単位シート７〜９，１０，１１の各シートバック１８，２１に、それぞれ上記ボックス支持部３６を設けたため、どの単位シートに着座した乗員が上記収納ボックス４０を使用するかに応じてその取付場所を自在に変化させることができ、収納ボックス４０の使い勝手をより効果的に向上させることができるという利点がある。
【００４８】
例えば、第２シート列３の左右の単位シート７，９に着座した乗員が収納ボックス４０を使用する場合には、図５および図６に示すように、中央の単位シート８のシートバック１８を倒伏させてその背面のボックス支持部３６に上記収納ボックス４０を支持させることにより、上記単位シート７，９に着座した乗員の両方が容易にアクセスし得る位置に上記収納ボックス４０を取り付けることができ、これら両乗員にとっての収納ボックス４０の使い勝手をともに効果的に向上させることができる。また同様に、第３シート列４の単位シート１０，１１のうち、例えば右側の単位シート１０に着座した乗員が収納ボックス４０を使用する場合には、図１２に示すように、もう一方の単位シート１１のシートバック２１を倒伏させてその背面のボックス支持部３６に上記収納ボックス４０を支持させることにより、上記単位シート１０に着座した乗員が容易にアクセスし得る位置に上記収納ボックス４０を取り付けることができる。
【００４９】
また、上記構成によれば、車室の後部荷室Ｌに隣接して設置された第３シート列４の各シートバック２１に上記ボックス支持部３６が設けられているため、例えば図１１に示すように、収納ボックス４０の非使用時にこれを上記シートバック２１のボックス支持部３６に支持させて、上記後部荷室Ｌ側に突出するような状態で上記収納ボックス４０を取り付けることにより、上記第３シート列４に着座した乗員のためのスペース等を狭めることなく、上記収納ボックス４０の非使用時の取付場所を適正に確保できるという利点がある。
【００５０】
一方、上記のように第３シート列４のシートバック２１に収納ボックス４０を取り付けた場合には、その後方の後部荷室Ｌに比較的大きな荷物を収納したいといったときに、上記収納ボックス４０が邪魔になるおそれがある。しかしながら、上記構成では、車室内の前後方向中間部に位置する第２シート列３のシートバック１８にもボックス支持部３６が設けられているため、図５や図８に示すように、この第２シート列３のシートバック１８に上記収納ボックス４０を取り付けることにより、上記後部荷室Ｌが収納ボックス４０によって狭められるのを有効に回避でき、この後部荷室Ｌへの荷物の収納性を良好に維持しながら、上記収納ボックス４０の取付場所を適正に確保できるという利点がある。
【００５１】
さらに、ゴルフバッグ等のより大型の荷物を車室後部に収納するために、図１３に示すように、上記第３シート列４のシートバック２１を倒伏させて上記後部荷室Ｌを拡大した場合でも、その前方の上記第２シート列３のシートバック１８に上記収納ボックス４０を取り付けることにより、例えば荷室フロア１ａと略連続したフロア面を構成する上記第３シート列４のシートバック２１に上記収納ボックス４０が取り付けられ、これが荷物の収納の邪魔になるといった事態を有効に回避できるため、より大型の荷物であっても車室後部に容易に収納できるという利点がある。
【００５２】
また、図５に示すように、車室内の前後方向中間部に位置する第２シート列３のシートバック１８を倒伏させてその背面に収納ボックス４０を取り付けた場合には、上記第２シート列３に着座した乗員だけでなく、その前後の第１シート列２や第３シート列４に着座した乗員も上記収納ボックス４０を利用できるため、収納ボックス４０を取り付けることによる利便性の向上をより多くの乗員に対し図ることができるという利点がある。
【００５３】
また、上記第１実施形態では、シートバックにボックス支持部３６が設けられた乗員用シート、すなわち、第２および第３のシート列３，４の各単位シート７〜９，１０，１１に、そのシートバック１８，２１が倒伏状態に変位するのに応じシートクッション１７，２０を所定量下方に沈み込ませる変位機構（つまり図２〜図４に示されるリンク２６，２７等からなるリンク機構）が設けられているため、上記シートバック１８，２１の倒伏時の設置高さを比較的低く抑えることができ、その背面に支持される上記収納ボックス４０の使用時の高さが必要以上に高くなってこの収納ボックス４０の使い勝手が損なわれるのを効果的に防止できるという利点がある。
【００５４】
すなわち、上記のような変位機構が設けられていなければ、上記シートクッション１７，２０上にシートバック１８，２１を倒伏させてその背面に上記収納ボックス４０を取り付けたときに、周囲の単位シートに着座した乗員にとって上記収納ボックス４０の設置高さが高くなりすぎ、この収納ボックス４０のリッド部４３を開閉操作する等の動作を上記乗員がスムーズに行えなくおそれがある。これに対し、上記第１実施形態のように、各単位シート７〜９，１０，１１に、そのシートクッション１７，２０を所定量下方に沈み込ませる変位機構が設けられている場合には、上記収納ボックス４０の使用時の設置高さを低く抑えることにより、上記のような事態を回避して収納ボックス４０の使い勝手を効果的に向上させることができるという利点がある。
【００５５】
なお、上記第１実施形態では、第２および第３のシート列３，４を構成する全ての単位シート７〜９，１０，１１の各シートバック１８，２１に上記ボックス支持部３６を設けたが、このうちの一部のシートバックにのみ上記ボックス支持部３６を設けるようにしてもよい。この場合、上記第２シート列３を構成する３つの単位シート７〜９のうち、中央の単位シート８のシートバック１８には少なくとも上記ボックス支持部３６が設けられることが好ましい。すなわち、中央の単位シート８に少なくともボックス支持部３６が設けられていれば、図６に示すように、この単位シート８のシートバック１８を倒伏させてその背面に上記収納ボックス４０を取り付けることにより、上記単位シート８の左右両側の単位シート７，９に着座した乗員の両方が上記収納ボックス４０を利用できるため、他の単位シート（７または９）にのみ上記ボックス支持部３６を設けた場合と異なり、収納ボックス４０の利用価値をより効果的に高められるという利点がある。
【００５６】
また、上記第１実施形態では、乗員用シートとしての単位シート７〜９等のシートバック１８，２１に、上記収納ボックス４０が着脱自在に係止されるボックス支持部３６を設けた例を示したが、これと同様のボックス支持部を車室の側壁に設けることも可能である。図１４は、このように構成した場合の一例を示す図である。本図に示すように、車室の後部側壁には、上記ボックス支持部３６と同様の構成の側壁側ボックス支持部５０が設けられており、この側壁側ボックス支持部５０に、上記収納ボックス４０が着脱自在に係止されるようになっている。この構成によれば、収納ボックス４０の非使用時の取付場所を上記シートバック１８，２１以外の箇所に容易に確保することができ、例えば後部荷室Ｌに収納される荷物の形状や乗員の着座位置等に応じて、車室側壁に設けられた上記側壁側ボックス支持時５０と、シートバック１８，２１に設けられた上記ボックス支持部３６との間で収納ボックス４０の取付場所を自在に変化させることにより、車室内空間を状況に応じてより多様に活用できるという利点がある。
【００５７】
（実施形態２）
図１５および図１６は、本発明の車両用収納ボックス構造の第２実施形態を示す図である。これらの図に示すように、当実施形態の収納ボックス６０は、本体部６２と、この本体部６２の上面部に設けられた左右一対のアームレスト部材６４と、この左右のアームレスト部材６４の間に設けられた可動テーブル部材６３とを有している。
【００５８】
上記収納ボックス６０は、図示のように、第２シート列３を構成する単位シート７〜９のうち、車幅方向中央に位置する単位シート８のシートバック１８がシートクッション１７上に倒伏した状態で、この倒伏したシートバック１８の背面に取り付けられて使用される。このため、上記第２シート列３のうち、少なくとも上記単位シート８のシートバック１８の背面には、図２等に示したボックス支持部３６が設けられ、このボックス支持部３６に上記本体部６２の下面部に設けられた図外のフック（図９等の符号４５相当）が係止されることにより、上記収納ボックス６０が上記シートバック１８に対し着脱自在に支持されるようになっている。
【００５９】
上記可動テーブル部材６３は、小物等の物品を載置可能な略平坦な上面部６３ａを有しており、上記収納ボックス６０の本体部６２に対し前後移動可能に支持されている。そして、このような可動テーブル部材６３は、乗員により前後方向にスライド操作されるのに応じ、図１５に示される通常位置と、図１６に示すように、上記本体部６２に対し前方に大きく突出した前進位置との間で移動するように構成されている。図１７は、上記可動テーブル部材６３が前進位置に移動したときの概略平面図である。この図１７および先の図１６に示すように、上記可動テーブル部材６３が前進位置に移動した状態では、この可動テーブル部材６３の上面部６３ａが、その前方に設置された上記コンソールボックス１５の上面部１５ａとの間で略連続したテーブル面（物品の載置面）を形成するように構成されている。
【００６０】
上記左右一対のアームレスト部材６４は、上記収納ボックス６０の設置部と隣接するシート（つまり上記単位シート８の左右に位置する単位シート７，９）に着座した乗員が肘を載置し得る位置に設けられおり、上記可動テーブル部材６３と同様に、本体部６２に対し前後移動可能に支持されている。そして、このようなアームレスト部材６４は、乗員により前後方向にスライド操作されるのに応じ、図１５に示される通常位置と、図１６に示すように、上記本体部６２に対し後方に所定量突出した後退位置との間で移動するように構成されている。
【００６１】
上記構成において、アームレスト部材６４が、図１５に示される通常位置から図１６に示される後退位置に移動すると、このアームレスト部材６４の後端部が上記単位シート７，９に着座した乗員のわき腹付近に位置するようになっている。すなわち、上記アームレスト部材６４が図１６の後退位置に移動することにより、このアームレスト部材６４の後端部が、上記乗員の肘を適正にサポート可能な位置に移動するように構成されている。
【００６２】
上記収納ボックス６０の本体部６２には、その前端部に左右一対のカップホルダ６５が設けられている。このカップホルダ６５は、缶やペットボトル等の飲料容器の底部を収容可能な凹部からなり、上記アームレスト部材６４が図１５に示される通常位置にあるときに、このアームレスト部材６４の前端部により上から覆われるように構成されている。そして、この状態からアームレスト部材６４が図１６に示される後退位置に移動するのに応じ、上記カップホルダ６５が外部に露出する（つまりカップホルダ６５が使用可能な状態になる）ように構成されている。
【００６３】
図１６に示すように、上記本体部６２には、小物等の物品を収納可能な凹部からなる収納空間６１が上方に開口する状態で設けられており、この収納空間６１が、その後辺部に枢支されたリッド部６７により開閉可能に閉止されるようになっている。これら収納空間６１およびこれを覆うリッド部６７は、図１５に示すように、通常時において上記可動テーブル部材６３により上から覆われる一方、上記可動テーブル部材６３が図示の前進位置に移動するのに応じて外部に露出するように構成されている。
【００６４】
以上説明したような本発明の第２実施形態によれば、乗員用シートとして設けられた単位シート８のシートバック１８に、物品を収納可能な収納ボックス６０が取り付けられるとともに、この収納ボックス６０の収納空間６１が、上記シートバック１８が倒伏状態にあるときに上向きに開口するように構成されているため、上記第１実施形態と同様に、最大乗車人数の確保と収納ボックスの使い勝手の向上とを両立させることができるという利点がある。
【００６５】
また、上記第２実施形態では、収納ボックス６０の本体部６２の上面部に、略平坦な上面部６３ａを有した可動テーブル部材６３が設けられているため、乗員は、この可動テーブル部材６３の上面部６３ａに小物等の物品を載置することにより、その物品を安定した状態に保持しながらこれを手軽に利用することができる。しかも、上記可動テーブル部材６３が収納ボックス６０の本体部６２に対し前後移動可能に支持され、その可動範囲の前端位置に上記可動テーブル部材６３が移動したときに、この可動テーブル部材６３の上面部６３ａが、その前方に設置されたコンソールボックス１５の上面部１５ａとの間で略連続したテーブル面を形成するように構成されているため、比較的広範なテーブル面を簡単な構成で車室内に形成することができ、例えば上記可動テーブル部材６３上に載り切らないような大きな物品でも、上記テーブル面を利用して容易に載置できるという利点がある。
【００６６】
また、上記第２実施形態では、収納ボックス６０の本体部６２の上面部にアームレスト部材６４が設けられ、上記第２シート列３の左右の単位シート７，９に着座した乗員の肘が上記アームレスト部材６４に載置されるように構成されているため、上記単位シート７，９に乗員をより安楽な姿勢で着座させることができ、乗員の快適性を効果的に向上させることができるという利点がある。そして、このように収納ボックス６０にアームレスト部材６４を設けて収納ボックス６０の用途を拡大することにより、上記収納ボックス６０の利用価値を高めて車室内の限られたスペースのより有効な活用を図ることができるという利点がある。
【００６７】
さらに、上記アームレスト部材６４が本体部６２に対し前後移動可能に支持されているため、上記単位シート７，９に着座した乗員の肘の位置に合わせて上記アームレスト部材６４の前後位置を調整することにより（上記第２実施形態の例ではアームレスト部材６４を図１６の後退位置に移動させることにより）、このアームレスト部材６４によって乗員の肘をより適正にサポートして乗員の着座姿勢をより安楽なものにできるという利点がある。
【００６８】
また、上記第２実施形態では、収納ボックス６０の本体部６２に、上記アームレスト部材６４の前後移動に応じて出没するカップホルダ６５が設けられているため、アームレスト部材６４を通常時にカップホルダ６５を覆うような位置（図１５に示される通常位置）に設けて収納ボックス６０を効果的にコンパクト化しながら、必要時には上記アームレスト部材６４を図１６の後退位置に移動させてカップホルダ６５を露出させることにより、このカップホルダ６５を利用して飲料容器を適正に保持できるという利点がある。
【図面の簡単な説明】
【００６９】
【図１】本発明の車両用収納ボックス構造の第１実施形態を示す車室内の全体斜視図である。
【図２】第２シート列を構成する各単位シートの外観を示す斜視図である。
【図３】上記単位シートの概略側面図である。
【図４】上記単位シートのシートバックが倒伏した状態を示す側面図である。
【図５】収納ボックスの使用状態の一例を示す車室内の全体斜視図である。
【図６】上記収納ボックスの使用状態を別の角度から見た斜視図である。
【図７】上記収納ボックスのリッド部が開放操作された状態を示す斜視図である。
【図８】上記収納ボックスの非使用時の一例を示す図である。
【図９】上記収納ボックスを上記単位シートのシートバックに取り付ける際の手順を説明するための図である。
【図１０】上記収納ボックスのフックが上記シートバックのボックス支持部と係合するときの状況を説明するための図であり、（ａ）は係合途中の状況、（ｂ）は係合完了時の状況をそれぞれ示している。
【図１１】上記収納ボックスの非使用時の一例を示す図である。
【図１２】上記収納ボックスの使用状態の一例を示す図である。
【図１３】上記収納ボックスの使用状態の一例を示す図である。
【図１４】上記車両用収納ボックス構造の変形例を説明するための図である。
【図１５】本発明の車両用収納ボックス構造の第２実施形態を示す斜視図である。
【図１６】収納ボックスの可動テーブル部材を前進位置に移動させたときの斜視図である。
【図１７】収納ボックスの可動テーブル部材を前進位置に移動させたときの概略平面図である。
【符号の説明】
【００７０】
１  フロアパネル
２，３，４  （第１、第２、第３の）シート列
７，８，９，１０，１１  単位シート（乗員用シート）
１７，２０  シートクッション
１８，２１  シートバック
３６  ボックス支持部
４０，６０  収納ボックス
４１，６１  収納空間
４２，６２  本体部
４３，６７  リッド部
５０  側壁側ボックス支持部
Ｌ  後部荷室
【図１】
2009051455.tif 000003
【図２】
2009051455.tif 000004
【図３】
2009051455.tif 000005
【図４】
2009051455.tif 000006
【図５】
2009051455.tif 000007
【図６】
2009051455.tif 000008
【図７】
2009051455.tif 000009
【図８】
2009051455.tif 000010
【図９】
2009051455.tif 000011
【図１０】
2009051455.tif 000012
【図１１】
2009051455.tif 000013
【図１２】
2009051455.tif 000014
【図１３】
2009051455.tif 000015
【図１４】
2009051455.tif 000016
【図１５】
2009051455.tif 000017
【図１６】
2009051455.tif 000018
【図１７】
2009051455.tif 000019